(57)【要約】【課題】所望の圃場に対して所望の苗マット数で植付を行うことができる苗移植機を提供する。【解決手段】苗載台に載置される苗マットから植付爪によって苗を掻き取って圃場に植え付け、苗マットを平面視で走行機体の進行方向に掻き取る縦取量を調節することで、前記植付爪による苗マットの取量を変更可能に構成される苗移植機であって、圃場面積及び該圃場面積に使用する苗マット数から基準縦取量を算出可能な苗取量算出部が設けられる。【選択図】図６
2018166491.tif 000002
【特許請求の範囲】
【請求項１】
苗載台に載置される苗マットから植付爪によって苗を掻き取って圃場に植え付け、苗マットを平面視で走行機体の進行方向に掻き取る縦取量を調節することで、前記植付爪による苗マットの取量を変更可能に構成される苗移植機であって、
圃場面積及び該圃場面積に使用する苗マット数から基準縦取量を算出可能な苗取量算出部が設けられることを特徴とする苗移植機。
【請求項２】
前記苗取量算出部は、植付作業中において、植付作業が行われた実作業面積及び実作業面積に対して使用される苗マット使用数に基づいて算出される実績縦取量と、残作業面積及び残苗マット数に基づいて算出される目標縦取量と、から前記基準縦取量を補正する請求項１に記載の苗移植機。
【請求項３】
前記苗載台は、アクチュエータによって昇降可能に構成されるとともに、
前記苗取量算出部は、前記植付爪による縦取量が前記基準縦取量となるように前記アクチュエータを駆動制御する請求項２に記載の苗移植機。
【請求項４】
前記実作業面積は、スリップ率を考慮した前記走行機体の車速と、植付作業が行われる条数から設定される作業幅と、に基づいて算出され、
前記苗マット使用数は、条毎に算出される苗マットの送り量と、条毎に算出される苗マットの圧縮率と、に基づいて算出される請求項２又は３に記載の苗移植機。
【発明の詳細な説明】
【技術分野】
【０００１】
本発明は、苗移植機に関する。
【背景技術】
【０００２】
特許文献１には、苗載台に載置される苗マットを下端側へ間欠的に搬送する縦送り機構と、苗載台の左右方向への横送り機構と、を備えた田植機が開示されている。横送り機構によって、苗載台は左右方向へ往復動され、苗載台が左右の往復移動端に達したときに、縦送り機構を構成する縦送りベルトが作動され、苗マットを所定間隔だけ苗載台の下端側へ搬送することで、苗載台の苗マットを植付爪に安定して供給している。
【先行技術文献】
【特許文献】
【０００３】
【特許文献１】特開２０１０−２１３６３８号公報
【発明の概要】
【発明が解決しようとする課題】
【０００４】
苗載台を昇降させることで、苗マットに対する植付爪の位置を多段階に変更可能な苗取量調節レバーが設けられ、苗取量調節レバーをオペレータが操作することで、植付爪が掻き取る苗マットの縦取量を調節可能としている。
【０００５】
稲の苗の水田への植付を行う際に、予め圃場面積当たりの収量を見越して、圃場面積当たりの株数及び必要苗マット数等を設定している。しかし、圃場面積当たりの株数及び必要苗マット数の設定は、苗載台の横送り回数、植付爪の縦取量、植付間隔、圃場の状態等の種々の条件を考慮にいれなければならないため、困難であった。
そこで、本発明は、所望の圃場に対して所望の苗マット数で植付を行うことができる苗移植機を提供することを目的とする。
【課題を解決するための手段】
【０００６】
本発明の苗移植機は、苗載台に載置される苗マットから植付爪によって苗を掻き取って圃場に植え付け、苗マットを平面視で走行機体の進行方向に掻き取る縦取量を調節することで、前記植付爪による苗マットの取量を変更可能に構成される苗移植機であって、圃場面積及び該圃場面積に使用する苗マット数から基準縦取量を算出可能な苗取量算出部が設けられる。
【０００７】
前記苗取量算出部は、植付作業中において、植付作業が行われた実作業面積及び実作業面積に対して使用される苗マット使用数に基づいて算出される実績縦取量と、残作業面積及び残苗マット数に基づいて算出される目標縦取量と、から前記基準縦取量を補正する。
【０００８】
前記苗載台は、アクチュエータによって昇降可能に構成されるとともに、前記苗取量算出部は、前記植付爪による縦取量が前記基準縦取量となるように前記アクチュエータを駆動制御する。
【０００９】
前記実作業面積は、スリップ率を考慮した前記走行機体の車速と、植付作業が行われる条数から設定される作業幅と、に基づいて算出され、前記苗マット使用数は、条毎に算出される苗マットの送り量と、条毎に算出される苗マットの圧縮率と、に基づいて算出される。
【発明の効果】
【００１０】
本発明によれば、所望の圃場に対して所望の苗マット数で植付作業を行うことができる。
【図面の簡単な説明】
【００１１】
【図１】田植機の側面図。
【図２】田植機の平面図。
【図３】植付部の一側面図。
【図４】植付部の他側面図。
【図５】ダッシュボードを示す図。
【図６】縦取量制御を示すブロック図。
【図７】苗取量算出部の制御ブロック図。
【図８】後輪の圃場への沈下量とスリップ率との相関を示すグラフ。
【図９】（ａ）後輪の圃場への沈下量を示す側面図（ｂ）後輪の接地面からフロート底面までの高さを示す側面図。
【図１０】後輪の接地面から田面までの高さを示す側面図。
【図１１】（ａ）上流側回転体及び下流側回転体が設けられる苗載台の条毎の載置面の背面図及び側面図（ｂ）上流側回転体及び下流側回転体が設けられる苗載台の条毎の載置面の背面図及び側面図。
【図１２】苗マットの苗継回数の検出を示す図。
【図１３】苗マットの苗継回数の補正を示す図。
【図１４】推定される苗マットの残量の補正を示す図。
【図１５】（ａ）下流側回転体の側面図（ｂ）載置面側からみた下流側回転体を示す図（ｃ）載置面の裏側からみた下流側回転体を示す図。
【図１６】下流側回転体の回転数検出構造の別実施形態を示す図。
【図１７】（ａ）苗押さえ棒及び上流側回転体及び下流側回転体の位置関係を示す苗載台の後面図（ｂ）苗押さえ棒及び上流側回転体及び下流側回転体の位置関係の第二実施形態を示す苗載台の後面図（ｃ）苗押さえ棒及び上流側回転体及び下流側回転体の位置関係の第三実施形態を示す苗載台の後面図（ｄ）苗押さえ棒及び上流側回転体及び下流側回転体の位置関係の第四実施形態を示す苗載台の後面図。
【図１８】縦取量の制御態様を表すフローチャート図。
【図１９】情報端末に表示される項目を示す図。
【発明を実施するための形態】
【００１２】
以下、図１及び図２を参照して、苗移植機の一実施形態である田植機１の全体構成について説明する。田植機１は、走行機体２と、その後部に装着される植付作業機３とを備え、走行機体２によって走行しつつ植付作業機３によって植付作業を行う。
【００１３】
走行機体２は、エンジン４、エンジン４からの動力を変速するトランスミッション５、エンジン４及びトランスミッション５を支持する機体フレーム６、エンジン４及びトランスミッション５から伝達される動力によって駆動される前輪７及び後輪８等を備える。
【００１４】
エンジン４及びトランスミッション５からの動力は、それぞれフロントアクスルケース９、リアアクスルケース１０に伝達される。フロントアクスルケース９は、機体フレーム６の前部に支持されるとともに、その左右両端部に前輪７が支承される。同様に、リアアクスルケース１０は、機体フレーム６の後部に支持されるとともに、その左右両端部に後輪８が支承される。機体フレーム６の上部は、ステップ１１によって被覆されており、オペレータは、ステップ１１上を移動可能である。
【００１５】
また、エンジン４及びトランスミッション５からの動力は、株間変速装置（図示しない）を経て植付作業機３に伝達される。株間変速装置は、走行機体２の進行方向に沿って植え付けられる苗の植付間隔を変更可能に構成される。後述の苗取量算出部７０は、苗の植付間隔を無段階に設定する株間設定器９（図７参照）と接続され、苗の植付間隔を取得可能に構成される。
【００１６】
走行機体２の前後中途部に運転席１２が配置され、その前方に操向ハンドル１３、操作ペダル１４、及び、ダッシュボード１５等が設けられる。ダッシュボード１５には、操向ハンドル１３に加えて各種操作用の操作具、表示装置が配置されている。
【００１７】
植付作業機３は、走行機体２に対して、昇降リンク機構２０を介して連結されている。昇降リンク機構２０は、左右一対の上リンク２１及び下リンク２２、昇降シリンダ等を備える。昇降シリンダによって下リンク２２、上リンク２１を回動させて植付作業機３を昇降させる。
【００１８】
植付作業機３は、植付アーム３１、植付爪３２、苗載台３３、フロート３４等を備える。植付爪３２は、植付アーム３１に取り付けられている。植付作業機３は、トランスミッション５から後方に向けて延出されるＰＴＯ軸１６によって駆動される。より詳細には、ＰＴＯ軸１６から植付センターケース３５を介して植付作業機３に設けられる植付伝動ケース３６に動力が伝達されて、植付伝動ケース３６から植付アーム３１、植付爪３２に動力が分配される。植付センターケース３５には、植付クラッチが設けられ、植付クラッチはエンジン４から植付作業機３への動力の伝達を断接するように構成される。
【００１９】
植付アーム３１は、植付伝動ケース３６から伝達される動力によって回転する。植付爪３２には、苗載台３３から苗が供給される。植付アーム３１の回転運動に伴って、植付爪３２が圃場内に挿入され、所定の植え付け深さとなるように苗が植え付けられる。なお、本実施形態では、ロータリ式の植付爪を採用しているが、クランク式のものを用いても良い。
【００２０】
苗載台３３は、板状の部材によって構成され、機体側面視において前高後低状に傾斜するように配設される。苗載台３３の後面には、苗マットを載置する載置面が植付アームの数（田植機の条数）に応じて機体幅方向に並べて配置される。本実施形態の田植機１は、６条植えの田植機であるため、載置面が６つ形成される。載置面には、苗マットが傾斜した状態で置かれる。
【００２１】
フロート３４は、植付フレーム３７に取り付けられる。具体的には、フロート３４の前端は植付フレーム１５に対して上下方向に揺動可能に支持され、フロート３４の後端は植付フレーム１５に設けられる回動支軸３８にリンク機構３９を介して昇降可能に取り付けられる（図９（ｂ）参照）。
【００２２】
フロート３４において、植付部４の植付位置直前方には、圃場表面（田面）を検出するセンサ４０（図１０参照）が設けられる。センサ４０は、前方から後方に向けて延出される。センサ４０は、植付フレーム３７にピッチング方向に揺動自在に支持され、その揺動支点を中心として重力によって垂れ下がるため、先端部が圃場表面に接触した状態が維持される。つまり、センサ４０の先端部が常に圃場表面を追従するように田植機１が進行する。
【００２３】
図３を用いて、苗載台３３を機体幅方向に往復動させる横送り機構について説明する。
図３に示すように、植付センターケース３５から機体幅方向一側に向けて送りネジ４１が延出される。送りネジ４１の外周面には、軸芯方向に沿って交差状の溝が形成される。送りネジ４１には、該溝に沿って摺動可能な滑り子４２及び滑り子４２を支持する滑り子受け４３が設けられる。滑り子受け４３は略Ｔ字状に形成される。滑り子受け４３には、送りネジ４１が貫設されるとともに、送りネジ４１の溝に沿って摺動可能に滑り子４２が収容される。
【００２４】
苗載台３３の前面（載置面の裏面）の下部には、下部レール４４が取付けられる。下部レール４４は、機体幅方向を長手方向として配置される。下部レール４４には、支持アーム４５を介して滑り子受け４３が固定される。
【００２５】
下部レール４４の下方には、下部レール４４を機体幅方向に摺動可能に支持するガイドレール４６が設けられる。ガイドレール４６は、機体幅方向を長手方向として配置される。ガイドレール４６は、下部レール４４に係合する係合部４６ａと、係合部４６ａから苗載台３３の底部の形状に沿って延出される延出部４６ｂによって構成される。下部レール４４がガイドレール４６の係合部４６ａと係合することで、下部レール４４はガイドレール４６に沿って機体幅方向に摺動可能に構成される。ガイドレール４６には、下部レール４４がガイドレール４６から外れることを阻止するためのストッパー４７がボルトによって着脱可能に取り付けられる。
【００２６】
植付センターケース３５の送りネジ４１が延出される側面には、苗載台３３の横送り量を調節する横送り切替レバー４８が設けられている。オペレータは、横送り切替レバー４８を操作することで、苗載台３３の横送り量を調節し、苗載台３３の横送り回数を変更することができる。横送り切替レバー４８には、横送り切替レバーの位置を検出することで、苗載台３３の横送り回数を検出する横送り回数検出センサ４８ａ（図７参照）が設けられる。苗取量算出部７０は、横送り回数検出センサ４８ａと接続され、苗載台３３の横送り回数を検出可能に構成される。
【００２７】
図４を用いて、苗載台３３に置かれる苗マットを下方に送る縦送り機構について説明する。
図４に示すように、植付センターケース３５から機体幅方向他側に向けて、縦送りカム５１が固定される縦送りカム軸５２が延出される。縦送りカム軸５２は、送りネジ４１と連結されており、ストローク端に到達すると、従動カム５３と当接される。従動カム５３は、苗載台３３下部で搬送ベルト５４を駆動する搬送ベルト駆動軸５５上に設けられている。縦送りカム軸５２の回動に伴って、縦送りカム５１と従動カム５３とが当接されると、従動カム５３は回動する。従動カム５３の回動に伴って、搬送ベルト駆動軸５５が回動されることで、搬送ベルト５４が循環されて搬送ベルト５４上に載置される苗マットを所定の距離だけ搬送する。
【００２８】
各植付伝動ケース３６の前上部に苗台レール支持軸５６が左右方向に回動自在に支持される。苗台レール支持軸５６からは適宜間隔をあけて複数の支持フレーム５７が後上方に突設され、該支持フレーム５７にガイドレール４６が左右水平方向に支持される。また、苗台レール支持軸５６から前上方にアーム５８が取付けられる。アーム５８の他端には、苗台レール支持軸５６の回転角度を検出する回転角度検出センサ５９が設けられる。回転角度検出センサ５９は、植付フレーム３７に取り付けられる。苗台レール支持軸５６には、アクチュエータ５６ａ（図７参照）が設けられている。苗取量算出部７０は、回転角度検出センサ５９と接続され、苗マットからの縦取量を検出することができる。
【００２９】
アクチュエータ５６ａが駆動制御されることで、苗台レール支持軸５６は回転可能に構成される。したがって、苗台レール支持軸５６の回転に伴って支持フレーム５７が回動されることで、ガイドレール４６（苗載台３６）が上下に移動（昇降可能に構成）され、植付爪３２を支持する植付伝動ケース３６と苗載台３３との距離を変更することができる。ゆえに、植付爪３２による苗マットからの縦取量を変更することができる。ここでの、縦取量とは、苗マットを平面視で走行機体２の進行方向に掻き取る量を指す。縦取量が調節されることで、植付爪３２による苗マットの取量を変更可能に構成される。
【００３０】
また、苗台レール支持軸５６は、連動ワイヤ６０を介して従動カム５３と接続されている。苗台レール支持軸５６の回転に伴って、連動ワイヤ６０に係る張力によって従動カム５３を所定の角度だけ回転させることにより、苗マットからの縦取量に応じて搬送ベルト５４による送り量を調節している。
【００３１】
以上の構成において、エンジン４からの動力が植付センターケース３５を介して送りネジ４１に動力が伝達されることで、送りネジ４１の溝に対して滑り子４２が摺動し、これとともに滑り子受け４３が機体幅方向に摺動する。滑り子受け４３が摺動されることで、支持アーム４５を介して下部レール４４がガイドレール４６に沿って摺動し、これとともに苗載台３３が機体幅方向に摺動する。そして、苗載台３３が機体幅方向のストローク端に到達すると、縦送りカム５１が従動カム５３と当接して搬送ベルト駆動軸５５が回動することで、搬送ベルト５４が循環される。
【００３２】
送りネジ４１の溝に沿って滑り子４２が往復動することで、苗載台３３はガイドレール４６に沿って往復動する。横送り機構によって、苗載台３３がガイドレール４６に沿って往復動することで、苗載台３３に載置される苗マットの一側から他側又は他側から一側に向けて植付爪３２が苗を掻き取って、移植することを可能としている。縦送り機構によって、植付爪３２が苗マットの一側又は他側にある苗を掻き取ると、搬送ベルト５４が作動して苗マットを載置面の下端部（後端部）に向けて搬送することを可能としている。以上のように、苗マットが機体幅方向に往復動されて、適宜下方に搬送されることで、苗載台３３に載置される苗マットから苗を掻き取り可能としている。
【００３３】
図５を用いて、ダッシュボード１５について説明する。
ダッシュボード１５の左右中央部には、操向ハンドル１３が配置され、操向ハンドル１３の左方には、主変速レバー６１が設けられ、操向ハンドル１３の右方には、植付昇降レバー６２が設けられる。操向ハンドル１３の下方には、所定の条毎の植付爪３２の駆動を停止する条止めスイッチ６３、最高速度を設定する速度設定ボリューム６４、フロート３４の油圧感度を設定する感度設定ボリューム６５、植深さ及び苗マットからの縦取量等を設定するセレクトダイヤル６６等が設けられる。操向ハンドル１３の前方には、セレクトダイヤル６６等の設定、走行機体２の速度等を表示するモニタ６７が設けられる。
【００３４】
セレクトダイヤル６６は、各種の項目（植深さ、縦取量等）を設定可能なダイヤルである。オペレータは、セレクトダイヤル６６を左右に回転させて各種の項目から設定したい項目を選択し、セレクトダイヤル６６を押すことで決定する。例えば、縦取量を設定したい場合、セレクトダイヤル６６を左右に回転させて縦取量の項目を選択し、セレクトダイヤル６６を押すことで該項目に決定して、セレクトダイヤル６６を左右に回転させて縦取量の調節量を選択し、セレクトダイヤル６６を押すことで該調節量に縦取量を設定する。セレクトダイヤル６６は、苗取量算出部７０（図７参照）と接続される。
【００３５】
図６及び図７を用いて、植付爪３２の基準縦取量について説明する。
基準縦取量とは、所定数の苗マットを使用して所定の圃場に植付作業を行う際に基準となる縦取量のことを指す。オペレータは、圃場において苗の植付作業を行う前に、セレクトダイヤル６６を用いて、使用する苗マット数及び圃場面積を苗取量算出部７０に入力する。つまり、セレクトダイヤル６６は、圃場面積入力手段及び苗マット数設定手段として設けられる。苗取量算出部７０は、入力される苗マット数及び圃場面積に基づいて基準縦取量を算出して、アクチュエータ５６ａを駆動制御する。苗取量算出部７０は、株間設定器９の検出値より、株数（オペレータが設定する植付間隔から算出される所定面積当たりの株数）を検出可能に構成される。そして、苗取量算出部７０は、後述のスリップ率を考慮した株数を算出可能に構成される。ここでの、スリップ率は、作業開始地点における後輪８の圃場への沈下量又は、所定の基準値から設定される。
【００３６】
苗取量算出部７０は、圃場面積及び苗マット数から目標マット数（所定面積当たりの苗マット数）を算出する。そして、苗取量算出部７０は、目標マット数及び苗載台３３の横送り回数及び株数（スリップ率を考慮した株数でもよい）から基準縦取量を算出する。
【００３７】
以上の構成において、基準縦取量となるようにアクチュエータ５６ａを駆動制御することで、オペレータの経験や勘に頼ることなく、所望の苗マット数で所望の圃場に対して植付作業を行う際に必要な縦取量を設定することができる。
【００３８】
苗取量算出部７０は、植付作業が開始されると、実際の植付作業が行われた実作業面積
及び実際の植付作業に使用された苗マット使用数に基づいて基準縦取量を随時補正する。具体的には、苗取量算出部７０は、実作業面積及び苗マット使用数に基づいて実績縦取量を算出する。そして、苗取量算出部７０は、作業面積から実作業面積を減算することで算出される残作業面積と、苗マット数から苗マット使用数を減算することで算出される残苗マット数と、に基づいて目標縦取量を算出する。苗取量算出部７０は、目標縦取量から実績縦取量を減算した値を補正量として、基準縦取量に加算することで基準縦取量を補正している。
【００３９】
図８及び図９を用いて、実作業面積の算出について説明する。
実作業面積は、スリップ率を考慮した走行機体２の車速と、植付作業が行われる条数から設定される作業幅と、から算出される。走行機体２の車速は、走行輪の回転数を用いて算出される。本実施形態では、後輪８の回転数を用いて算出する。後輪８の回転軸には、その回転数を検出する後輪回転数検出センサ８ａが設けられる。苗取量算出部７０は、後輪回転数検出センサ８ａと接続され、後輪８の回転数を検出可能に構成される。
【００４０】
図８に示すように、スリップ率と、走行輪（本実施形態では後輪８）の圃場への沈下量とは、一次関数的な相関関係を有している。後輪８の圃場への沈下量とは、後輪８の圃場への接地面から田面（圃場表面）までの高さを指す。後輪８の圃場への沈下量が増加するにつれて、スリップ率は一次関数的に増加する。
【００４１】
図９を用いて、後輪８の圃場への沈下量について説明する。
後輪８の圃場への沈下量は、昇降リンク機構２０に設けられるポテンショセンサ等の適宜のセンサからなる植付作業機位置検出センサ７１及びフロート３４のリンク機構３９又は回動支軸３８に設けられるポテンショセンサ等の適宜のセンサからなる植深さ検出センサ３９ａ（図７参照）から算出される。植付作業機位置検出センサ７１は、左右一対の上リンク２１及び下リンク２２の後端部がそれぞれ取り付けられる昇降リンクフレーム７２に設けられる。苗取量算出部７０は、植付作業機位置検出センサ７１と接続され、走行機体２に対する植付作業機３、具体的には、植付爪３２の最下点の高さ（距離）を検出可能に構成される。苗取量算出部７０は、植深さ検出センサ３９ａと接続され、植付作業機３のフロート３４の底面からの高さを検出可能に構成される。植深さ検出センサ３９ａにより、植付爪３２の爪出量ｈ１（植付爪３２の先端部とフロート底面との距離）を検出可能に構成される。
【００４２】
苗取量算出部７０は、植付作業機位置検出センサ７１及び植深さセンサ３９ａより走行機体２に対するフロート３４の底面までの長さを検出する。苗取量算出部７０は、走行機体２に対する後輪８の最下点（接地面）の長さから走行機体２に対するフロート３４の底面までの長さを減算することで、後輪８の圃場への沈下量ｈ０を算出している。また、後輪８の圃場への沈下量は、フロート３４の圃場への沈下量ｄ（図１０参照）を考慮して算出してもよい。
【００４３】
図１０に示すように、センサ４０をさらに用いてフロート３４の圃場への沈下量ｄを考慮した後輪８の圃場への沈下量ｈ２を算出することができる。センサ４０の揺動角度θを計測することによって、苗を植え付ける圃場表面高さを検出することができる。このように、センサ４０によって圃場表面高さを検出することによって、フロート３４の沈下量ｄを計測できる。苗取量算出部７０は、センサ４０の回動支点に設けられるポテンショセンサ等の適宜の圃場表面検出センサ４０ａ（図７参照）と接続され、圃場表面高さを検出可能に構成される。以上のように、圃場表面を追従するように設けられるセンサ４０を用いることで、フロート３４の圃場への沈下量ｄを考慮した後輪８の圃場への沈下量を正確に算出することができる。
【００４４】
作業幅は、田植機１の機体幅方向の植付間隔及び植付作業が行われる条数から設定される機体幅方向の長さを指す。植付作業が行われる条数は、条毎の植付アーム３１への動力の伝達を断接するユニットクラッチの断接状態により検出される。苗取量算出部７０は、ユニットクラッチの断接を検出するユニットクラッチセンサ６３ａ（図７参照）と接続され、植付作業が行われる条数を検出可能に構成される。
【００４５】
以上の構成において、後輪８の圃場への沈下量から算出されるスリップ率及び後輪８の回転数から、スリップ率を考慮した後輪８の走行距離を算出することができる。そして、スリップ率を考慮した後輪８の走行距離及び植付作業が行われる条数に応じて設定される作業幅から実作業面積は算出される。
【００４６】
図１１から図１２を用いて、苗マットの使用数の検出について説明する。
図１１に示すように、苗載台３３の条毎の苗マットが置かれる載置面において、苗マットの苗継回数の検出手段として回転体が設けられる。回転体として、載置面において下流側（苗マットの送り方向の下流側）に設けられる下流側回転体８１と、下流側回転体８１よりも上流側（苗マットの送り方向の上流側）に設けられる上流側回転体８５と、が設けられている。苗取量算出部７０は、下流側回転体８１及び上流側回転体８５の回転状態に基づいて苗マットの継足した回数（苗継回数）を検出している。
【００４７】
下流側回転体８１は、載置面の裏面側から載置面（表面）より上方に突出するように設けられる。下流側回転体８１は、下流側回転体８１上に苗マットが置かれる状態において、搬送ベルト５４による苗マットの縦送りに連動して回転するように設けられる。
【００４８】
下流側回転体８１は、載置面において、下端から上方側に苗マットを一枚置いたときに、該苗マットの縦送りに連動して回転可能な位置に設けられる。下流側回転体８１は、苗マットの上端から下方側に、苗マットの一回分の縦送り量Ｆ１分の間隔を空けた位置を上限として配置される。また、下流側回転体８１は、苗マットの下端から上方側に所定の間隔Ｆ２を空けた位置を下限として配置される。所定の間隔とは、後述の一の条において圧縮率が算出されてから基準縦取量の補正制御を行うまでのタイムラグを考慮した間隔を指す。下流側回転体８１は、苗マットの縦送りに連動した回転に基づいて苗マットの送り量を検出するため、載置面の下端寄りに配置されるのが好ましく、本実施形態では、下限に配置される。
【００４９】
また、下流側回転体８１が設けられる下限として、苗マットの上端が下流側回転体８１よりも下方側に送られてから新たな苗マットの継足しをする場合に、新たな苗マットが継足されるまでに残っている苗マットを消費しきらない程度の間隔を空けた位置に設定してもよい。
【００５０】
苗取量算出部７０は、下流側回転体８１が回転していない状態から、苗マットの縦送りに連動して回転する状態に遷移したときに、苗マットの苗継回数を一つ加算する。下流側回転体８１が回転していない状態から、苗マットの縦送りに連動して回転する状態に遷移したときとは、下流側回転体８１が非回転状態から苗マットの縦送りに連動した回転を検出したときを指す。苗取量算出部７０は、所定時間当たりの回転数から搬送ベルト５４による苗マットの縦送りに連動した回転であるか否かを判別している。
【００５１】
苗取量算出部７０は、苗マットの縦送りに連動した下流側回転体８１の回転を検出すると、回転後から所定時間内に苗マットの縦送りに連動した下流側回転体８１の回転があるか否かを判別することで下流側回転体８１が苗マットの縦送りに連動して回転する状態にあるか否かを検出している。ここでの所定時間は、苗載台３３の縦送りが行われる間隔に応じて設定される。
【００５２】
上流側回転体８５は、載置面の裏面側から載置面（表面）より上方に突出するように設けられる。上流側回転体８５は、上流側回転体８５上に苗マットが置かれている状態において、搬送ベルト５４による苗マットの縦送りに連動して回転するように設けられる。
【００５３】
上流側回転体８５は、載置面において、下端から上方側に少なくとも苗マット一枚の上下長さよりも大きい間隔を空けた位置、かつ、下流側回転体８１から上方側に苗マットを一枚置いたときに、該苗マットの縦送りに連動して回転可能な位置に設けられる。上流側回転体８５は、苗マットの上端から下方側に、苗マットの一回分の縦送り量Ｆ１だけ間隔をあけた位置を上限として配置される。本実施形態では、上流側回転体８５は、下端から上方側に苗マット一枚の上下長さの間隔を空けた位置近傍に配置される。
【００５４】
苗取量算出部７０は、下流側回転体８１が苗マットの縦送りに連動して回転する状態において、上流側回転体８５が回転していない状態から、苗マットの縦送りに連動して回転する状態に遷移したときに、苗マットの苗継回数を一つ加算する。上流側回転体８５が回転していない状態から、苗マットの縦送りに連動して回転する状態に遷移したときとは、上流側回転体８５が非回転状態から苗マットの縦送りに連動した回転を検出したときを指す。苗取量算出部７０は、所定時間当たりの回転数から搬送ベルト５４による苗マットの縦送りに連動した回転であるか否かを判別している。
【００５５】
苗取量算出部７０は、苗マットの縦送りに連動した上流側回転体８５の回転を検出すると、回転後から所定時間内に苗マットの縦送りに連動した上流側回転体８５の回転があるか否かを判別することで上流側回転体８５が苗マットの縦送りに連動して回転する状態にあるか否かを検出している。ここでの所定時間は、苗載台３３の縦送りが行われる間隔に応じて設定される。
【００５６】
苗取量算出部７０は、上流側回転体８５の苗マットの縦送りに連動して回転する状態から、回転していない状態に遷移したときに、苗マットの圧縮率を算定する。圧縮率は、苗載台３３に載置される苗マットの送り方向の長さ（予め計測される載置面の下端から上流側回転体８５までの長さ）と、下流側回転体５１の回転数から算出される苗マットの送り量と、を加算したものを、苗継回数分の苗マットの長さで除することで算定される。
【００５７】
図１２を用いて、植付作業中における苗継回数の検出について説明する。ここでは、苗取量算出部７０は、苗継回数を記憶可能に構成される。また、苗取量算出部７０は、植付クラッチが作動すると、下流側回転体８１及び上流側回転体８５の回転状態の検出及び回転数の検出を行うように構成される。
【００５８】
本実施形態では、苗載台３３の載置面に苗マットが二枚置かれた状態であり、ここから植付クラッチを作動して植付作業を開始している。搬送ベルト５４によって下端側に位置する苗マットが縦送りされると、下流側回転体８１が回転する。苗取量算出部７０は、搬送ベルト５４による苗マットの縦送りに連動した下流側回転体８１の回転を検出すると、苗継回数を一つ加算する（一枚目の苗マットを検出する）。
【００５９】
そして、一枚目の苗マットが縦送りされることに伴って、一枚目の苗マットの上方側の苗マットが下端側へ縦送りされることで、上流側回転体８５が回転される。苗取量算出部７０は、苗マットの縦送りに連動した上流側回転体８５の回転を検出すると、苗継回数を一つ加算する（二枚目の苗マットを検出する）。
【００６０】
上流側回転体８５の下方側に二枚目の苗マットが縦送りされると、上流側回転体８５が苗マットの縦送りに連動して回転する状態から、回転していない状態に遷移される。苗取量算出部７０は、上流側回転体８５が回転していない状態を検出すると、苗マットの圧縮率を算定する。苗取量算出部７０は、苗載台３３に載置される苗マットの送り方向の長さと、下流側回転体８１の回転数から算出される苗マットの送り量と、を加算したものを、苗継回数分の苗マットの長さで除することで圧縮率を算定する。
【００６１】
そして、二枚目の苗マットの上端が下流側回転体８１よりも上方側で、かつ、上流側回転体８５よりも下方側に配置されている状態において、苗マットが継足しされた場合、苗取量算出部７０は、苗マットの縦送りに連動した上流側回転体８５の回転を検出することで、苗継回数を一つ加算する（三枚目の苗マットを検出する）。
【００６２】
同様に、上流側回転体８５の下方側に三枚目の苗マットが縦送りされると、上流側回転体８５が苗マットの縦送りに連動して回転する状態から、回転していない状態に遷移される。苗取量算出部７０は、上流側回転体８５が回転していない状態を検出すると、苗マットの圧縮率を算定する。
【００６３】
以上のように、下流側回転体８１は、載置面において、下端から上方側に苗マットを一枚置いたときに、該苗マットの縦送りに連動して回転可能な位置に設けられることで、載置面に置かれる一枚目の苗マットを検出することができる。
【００６４】
上流側回転体８５は、載置面において、下端から上方側に少なくとも苗マット一枚の上下長さよりも大きい間隔を空けた位置、かつ、下流側回転体８１から上方側に苗マットを一枚置いたときに、該苗マットの縦送りに連動して回転可能な位置に設けられることで、下流側回転体８１上に苗マットが置かれている状態（下流側回転体８１が苗マットの縦送りに連動して回転している状態）において、新たに苗マットを継足ししたときに、該苗マットを検出することができる。
【００６５】
また、下流側回転体８１が苗マットの縦送りに連動して回転するように構成されることで、下流側回転体８１の回転数に基づいて苗マットの送り量を算出することができる。つまり、下流側回転体８１は、苗マットの送り量検出手段として用いられる。また、載置面の下端から上流側回転体８５までの長さを予め計測しておき、上流側回転体８５の苗マットの縦送りに連動して回転する状態から、回転していない状態に遷移したことを検出することで、圧縮率を算定することができる。
【００６６】
以上の構成において、苗取量算出部７０は、圧縮率を用いて、下流側回転体８１の回転数から算出される苗マットの送り量から圧縮前の苗マットの長さを基準とした苗マット使用数を算出することができる。
【００６７】
図１３を用いて、苗マットの苗継回数の補正について説明する。
苗取量算出部７０は、下流側回転体８１及び上流側回転体８５の回転状態に基づいて検出される苗マットの苗継回数と、下流側回転体８１の回転数から算出される苗マットの送り量と、から載置面に置かれた苗マットの残量を随時推定している。苗取量算出部７０は、苗マットの残量と、下流側回転体８１及び上流側回転体８５の回転状態と、に基づいて苗マットの苗継回数を補正する。
【００６８】
図１３に示す実施形態では、苗載台３３の載置面に苗マットが一枚置かれた状態であり、ここから植付クラッチを作動して植付作業を開始している。搬送ベルト５４によって下端側に位置する苗マットが縦送りされると、下流側回転体８１が回転される。苗取量算出部７０は、搬送ベルト５４による苗マットの縦送りに連動した下流側回転体８１の回転を検出すると、苗継回数を一つ加算する（一枚目の苗マットを検出する）。苗取量算出部７０は、下流側回転体８１の回転数に基づいて苗マットの送り量を算出し、苗マット一枚分の長さから苗マットの送り量を減算することで苗マットの残量を推定する。
【００６９】
そして、苗マットが下流側回転体８１上に置かれている状態において、新たに苗マットが同時に二枚継足された場合、上流側回転体８５の苗マットの縦送りに連動した回転を検出することで、苗継回数を一つ加算する（二枚目の苗マットを検出する）。下流側回転体８１の回転数から苗マットの送り量を算出し、苗マット二枚分の長さから苗マットの送り量を減算することで苗マットの残量を推定する。
【００７０】
苗取量算出部７０は、推定される苗マットの残量が上流側回転体８５よりも下方側となった場合に、上流側回転体８５が苗マットの縦送りに連動して回転しているか否かを検出する。上流側回転体８５の苗マットの縦送りに連動した回転を検出した場合、苗マットの残量に反して上流側回転体８５上に苗マットが置かれている、つまり、推定される苗マットの残量よりも実際の苗マットの残量の方が大きいため、苗継回数を補正、具体的には、苗マットの苗継回数を一つ加算する（二枚から三枚に補正する）。仮に、上記の状況で、上流側回転体８５が苗マットの縦送りに連動して回転する状態から、回転していない状態に遷移されたことを検出した場合、推定される苗マットの残量と実際の苗マットの残量が一致していると判断し、苗継回数の補正は行われない。
【００７１】
そして、上流側回転体８５の下方側に三枚目の苗マットが送られてくると、上流側回転体８５が苗マットの縦送りに連動して回転する状態から、回転していない状態に遷移される。苗取量算出部７０は、上流側回転体８５が回転していない状態を検出すると、苗マットの圧縮率を算定する。
【００７２】
以上のように、苗マットの残量を推定するとともに、推定された苗マットの残量と、下流側回転体８１及び上流側回転体８５の回転状態と、に基づいて苗継回数を補正することで、例えば、苗マットを二枚同時に苗継した場合や下流側回転体８１から上流側回転体８５にわたって一枚の苗マットが配置される場合であっても、正確に苗継回数を検出することができる。また、苗マットの残量を推定するときに、圧縮率が算定されているならば、圧縮率を考慮してもよい。
【００７３】
図１４を用いて、苗マットの残量の補正について説明する。
図１４に示す実施形態では、推定される苗マットの残量が下流側回転体８１よりも下方側になった状況であり、下流側回転体８１が回転していない状態へと遷移した場合を想定している。苗取量算出部７０は、下流側回転体８１が回転していない状態へと遷移したことを検出すると、苗マットの継足によって回転される下流側回転体８１の回転数に基づいて推定される苗マットの残量を補正する。
【００７４】
下流側回転体８１の苗マットの縦送りに連動して回転する状態から、回転していない状態に遷移したことを検出したのち、苗マットの継足しが行われると、継足しされる苗マットが下流側回転体８１に接触して下流側回転体８１は回転される。そして、継足される苗マットの下端が残っている苗マットの上端と接触するまで下流側回転体８１は回転される。そのため、推定される苗マットの残量と、実際の苗マットの残量とに差異がある場合、実際の苗マットの残量位置まで継足される苗マットは送られる。ゆえに、苗取量算出部７０は、下流側回転体８１の回転数に基づいて算出される苗マットの送り量を、推定される苗マットの残量から減算することで推定される苗マットの残量が実際の苗マットの残量となるように補正している。
【００７５】
以上のように、下流側回転体８１が回転していない状態へと遷移したことを検出した場合、新たに苗マットが継足しされることによって生じる下流側回転体８１の回転数に基づいて推定される苗マットの残量を補正することで、正確に苗マットの残量を算出することができ、苗継回数を正確に算出することができる。
【００７６】
以上の構成において、苗継回数検出手段として、下流側回転体８１及び上流側回転体８５を設けているが、これに限定されない。例えば、下流側回転体８１のみを用いて、苗マットの残量を推定しながら、苗継回数を検出してもよい。
【００７７】
図１５（ａ）及び図１５（ｂ）及び図１５（ｃ）を用いて、下流側回転体８１の構成について説明する。上流側回転体８５は、下流側回転体８１と同様の構造のため、説明は省略する。図１５（ａ）では、下流側回転体８１の構成を側面視にて表しており、図１５（ｂ）では、下流側回転体８１の構成を背面視（載置面側からみた）にて表しており、図１５（ｃ）では、下流側回転体８１の構成を正面視（載置面の裏面側からみた）にて表している。
【００７８】
下流側回転体８１の外周部には、回転中心を基準として放射状に配置される複数の突起８１ａを備える。下流側回転体８１は、載置面の裏面側から貫通孔３３ａを介して突起８１ａが載置面より上方に突出するように設けられる。下流側回転体８１は、突起８１ａが載置面において縦送りされる苗マットの底面に食い込み（係合し）ながら、苗マットの縦送りに連動して回転するように構成される。突起８１ａの苗マットとの当接側の面は、下流側回転体８１の回転方向の上流側に反った形状によって構成される。苗載台３３と下流側回転体８１との関係性から述べると、突起８１ａの苗マットとの当接側の面は、苗マットの送り元に向けて反った形状によって構成される。本実施形態では、突起８１ａは、側面視において、基端部から先端部にかけて下流側回転体８１の回転方向の上流側に湾曲して形成される。
【００７９】
以上のように、下流側回転体８１の突起８１ａの苗マットとの当接側の面が回転方向の上流側に反った形状によって構成されることで、下流側回転体８１の上方側近傍の載置面に苗マットが送られてきた時に、突起８１ａに苗マットが当接されやすい（引っ掛かりやすい）。そのため、下流側回転体８１の滑りを防止でき、苗マットの縦送りに連動して下流側回転体８１を回転させることができる。
【００８０】
また、突起８１ａは、側面視において、基端部から先端部にかけて回転方向の上流側に湾曲することなく、スターホイルとして形成してもよいし、側面視において、基端部から先端部にかけて回転方向の上流側に傾斜して形成され、先端部を尖形状に形成してもよい。突起８１ａは、先端部を尖形状に形成することで、苗マットの下流側面又は底面に引っ掛けやすくなる。そのため、下流側回転体８１の滑りを防止でき、苗マットの縦送りに連動して下流側回転体８１を回転させることができる。
【００８１】
下流側回転体８１は、ステー８２を介して苗載台３３の裏面にピッチ軸周りに回転可能に取り付けられる。下流側回転体８１の回転中心には、ボス部８１ｂが設けられる。ボス部８１ｂには、回転方向９０度毎にビス８３が設けられており、該ビス８３をステー８２の一端側に設けられる近接センサ８４によって検出することで、下流側回転体８１の回転数を検出可能としている。
【００８２】
また、苗マットの苗継回数の検出手段として下流側回転体８１及び上流側回転体８５を用いることで、苗継回数だけでなく、苗マットの送り量を検出することができる。そのため、例えば、上流側回転体８５上に苗マットが載置されている状態において、下流側回転体８１の回転に応じた上流側回転体８５の回転を検出しない場合、苗送り不良を検出することができる。
【００８３】
以上の構成において、下流側回転体８１の風等の外力による回転による誤検出を防ぐために、下流側回転体８１を弾性部材によって苗載台３３の裏側に付勢して下流側回転体８１を係止してもよい。この場合、弾性部材の付勢力は、下流側回転体８１上に苗マットが載置されている場合、苗マットの自重によって下流側回転体８１が苗載台３３の裏側に押されることで、苗載台３３の裏側への係止が解除され、下流側回転体８１が回転可能となるように設定される。上流側回転体８５も同様に構成してもよい。
【００８４】
また、下流側回転体８１のボス部８１ｂに設けられるビス８３を近接センサ８４によって検出することで、下流側回転体８１の回転数を検出しているが、これに限定されない。
【００８５】
図１６に示すように、下流側回転体８１には、下流側回転体８１とともに回転する楕円形状のカム８６と、カム８６の回転に伴ってオンオフを繰り返すマイクロスイッチ８７と、が設けられる。マイクロスイッチ８７は、カム８６の短径端とアーム８７ａが当接している状態ではオンとなり、カム８６の長径端とアーム８７ａが当接している状態ではオフとなるように配置される。以上の構成において、９０度毎にマイクロスイッチ８７がオンとオフとを繰り返すことで下流側回転体８１の回転数を検出することができる。
【００８６】
また、以上の構成の他にも、下流側回転体８１の回転軸にロータリエンコーダを取り付けて、下流側回転体８１の回転数（回転角度）を算出してもよいし、下流側回転体８１の回転軸にポテンショセンサを取り付けて、下流側回転体８１の回転数（回転角度）を算出してもよい。
【００８７】
また、苗マットの送り量検出手段として回転体が用いられているが、これに限定されない。接触式の測定方法では、静電容量式のゲージ、ロードセル等が考えられる。静電容量式のゲージは、例えば、載置面全域に設置されることで、苗載台３３の苗マットの送り量及び残量を正確に測定することができる。また、ロードセルは、例えば、苗載台３３の支持部材に取り付けられることで、載置面に載置される苗マットの荷重に基づいて苗マットの送り量を検出することができる。
【００８８】
また、非接触式の測定方法では、レーザ距離計、カメラの撮影画像の画像処理、光学式センサ、明度センサ等が考えられる。レーザ距離計は、例えば、載置面の上方側から載置される苗マットの上端面までの距離を計測することができるように設けられることで、苗マットの送り量を検出することができる。また、カメラは、例えば、載置面に載置される苗マットを撮影可能に設けられることで、撮影した画像を画像処理することによって、苗マットの送り量を検出することができる。光学センサは、例えば、発光部と、発光部からの光線が苗マットによって遮断されたことを検出する受光部と、から構成されることで、苗マットの送り量を検出することができる。
【００８９】
図１７を用いて、下流側回転体８１及び上流側回転体８５の機体幅方向の位置について説明する。
【００９０】
苗押さえ棒は、各載置面の苗マットを上方から押さえて円滑な搬送を行う役割を有しており、苗載台３３の苗マットの送り方向を長手方向として棒状に形成される。図１７（ａ）に示す実施形態では、長径の苗押さえ棒８８ａが載置面の中央を基準として左右対称に設けられ、短径の苗押さえ棒８８ｂが載置面の中央に設けられる。
【００９１】
上流側回転体８５は載置面の中央に設けられる。下流側回転体８１は、短径の苗押さえ棒８８ｂの下方（苗マットを押さえつける方向）に配置される。
【００９２】
以上のように、下流側回転体８１は、短径の苗押さえ棒８８ｂの下方に配置されることで、苗マットと下流側回転体８１との間に空隙を生ずることなく、苗マットに下流側回転体８１を食い込ませることができる。そのため、下流側回転体８１の滑りを防止することができ、下流側回転体８１の回転数から苗マットの送り量を正確に算出することができる。
【００９３】
図１７（ｂ）に示す実施形態では、上流側回転体８５は、右側に位置する長径の苗押さえ棒８８ａの下方（苗マットを押さえつける方向）に配置される。そのため、同様に、上流側回転体８５の滑りを防止することができ、上流側回転体８５の回転数から苗マットの送り量を正確に算出することができる。
【００９４】
図１７（ｃ）に示す実施形態では、長径の苗押さえ棒８８ａが載置面の中央を基準として左右対称に三本並べて配置される。上流側回転体８５及び下流側回転体８１は、中央に配置される長径の苗押さえ棒８８ａの下方（苗を押さえつける方向）に配置される。そのため、同様の効果を奏する。
【００９５】
図１７（ｄ）に示す実施形態では、長径の苗押さえ棒８８ａが載置面の中央を基準として左右対称に二本並べて配置される。上流側回転体８５は、右側に位置する長径の苗押さえ棒８８ａの下方（苗マットを押さえつける方向）に配置される。そのため、同様の効果を奏する。
【００９６】
以上のように、苗押さえ棒の下方（苗マットを押さえつける方向）に上流側回転体８５及び下流側回転体８１を配置することで、上流側回転体８５及び下流側回転体８１の滑りを防止でき、回転数から苗マットの送り量を正確に算出することができる。また、上流側回転体８５及び下流側回転体８１は、それぞれ同高さに複数並べて配置してもよい。
【００９７】
以上の構成において、苗取量算出部７０は、実作業面積及び全条の苗マット使用数に基づいて実績縦取量を算出する。苗取量算出部７０は、条毎の苗マット使用数を全て加算した苗マット使用数及び実作業面積から実績マット数（所定面積当たりの苗マット使用数）を算出する。そして、苗取量算出部７０は、実績マット数及び苗載台３３の横送り回数及びスリップ率を考慮した株数から実績縦取量を算出する。
【００９８】
苗取量算出部７０は、圃場面積から実作業面積を減算することで算出される残作業面積と、苗マット数から苗マット使用数を減算することで算出される残苗マット数と、に基づいて目標縦取量を算出する。苗取量算出部７０は、残作業面積及び残苗マット数から目標マット数（所定面積当たりの苗マット数）を算出する。そして、苗取量算出部７０は、目標マット数及び苗載台３３の横送り回数及びスリップ率を考慮した株数から目標縦取量を算出する。
【００９９】
苗取量算出部７０は、実績縦取量及び目標縦取量を算出すると、目標縦取量から実績縦取量を減算した値を補正量として、基準縦取量に加算することで、基準縦取量を補正し、アクチュエータ５６ａを駆動制御している。
【０１００】
以上の構成において、全条分の実作業面積及び苗マット使用数から実績縦取量を算出し、全条分の残作業面積及び残苗マット数から目標縦取量を算出し、実績縦取量及び目標縦取量から全条分の補正量を算出しているが、これに限定されず、条毎に補正量を算出し、該条毎の補正量に基づいて全条分の補正量を算出してもよい。
【０１０１】
苗取量算出部７０は、条毎の実作業面積及び条毎の苗マット使用数から条毎の実績マット数を算出し、該条毎の実績マット数及び苗載台３３の横送り回数及びスリップ率を考慮した株数から条毎の実績縦取量を算出する。そして、苗取量算出部７０は、条毎の残作業面積及び条毎の残苗マット数から条毎の目標マット数を算出し、該条毎の目標マット数及び苗載台３３の横送り回数及びスリップ率を考慮した株数から条毎の目標縦取量を算出する。苗取量算出部７０は、条毎に算出される実績縦取量から目標縦取量を減算することで条毎の補正量を算出し、該条毎に算出される補正量に基づいて全条分の補正量を算出してもよい。
【０１０２】
以上の構成において、基準縦取量の補正制御は、植付作業が行われる条数全ての苗マット使用数が算出された後に行われるため、一の条が圧縮率を算出してから補正制御を行うまでにタイムラグが発生する。そのため、タイムラグを考慮して、下流側回転体８１は、苗載台３３の条毎の載置面において、下端部から上方へ少なくとも所定の間隔を空けて配置される。
【０１０３】
以上のように、植付作業中において、実際の植付作業が行われた実作業面積及び実際の植付作業に使用された苗マット使用数を算出可能とすることで、基準縦取量を補正することができる。そのため、所望の圃場に対して所望の苗マット数で植付作業を行うことができる。ゆえに、苗マットの消費効率を向上することができる。
【０１０４】
図１８を用いて、植付爪３２の縦取量制御について説明する。以下では、植付クラッチが接続され、植付作業機３は作動しているものとする。縦取量制御が開始されると、スリップ率を考慮した後輪８の走行距離及び作業幅から実作業面積は随時算出されている。また、苗マットの縦送りに連動して下流側回転体８１及び上流側回転体８５は、適宜回転され、下流側回転体８１及び上流側回転体８５の回転状態から苗継回数が検出されるとともに、下流側回転体８１の回転数から苗マットの送り量が随時算出されている。
【０１０５】
ステップＳ１１０において、苗取量算出部７０は、圃場面積及び苗マット数がセレクトダイヤル６６を用いて入力されたか否かを判定する。圃場面積及び苗マット数が入力された場合、ステップＳ１２０に移行させる。
【０１０６】
ステップＳ１２０において、苗取量算出部７０は、圃場面積及び苗マット数に基づいて算出される基準縦取量となるように、アクチュエータ５６ａを駆動制御して、ステップＳ１３０に移行させる。
【０１０７】
ステップＳ１３０において、苗取量算出部７０は、上流側回転体８５の苗マットの縦送りに連動して回転する状態から、回転していない状態に遷移したか否かを判定する。上流側回転体８５の回転していない状態を検出すると、ステップＳ１４０に移行させる。
【０１０８】
ステップＳ１４０において、苗取量算出部７０は、条毎の苗マットの送り量と苗マットの苗継回数とに基づいて算出される圧縮率から条毎の苗マット使用数を算出し、ステップＳ１５０に移行させる。
【０１０９】
ステップＳ１５０において、苗取量算出部７０は、条毎の苗マット使用数が算出されたか否かを判定する。苗マット使用数が算出されると、ステップＳ１６０に移行させる。
【０１１０】
ステップＳ１６０において、苗取量算出部７０は、実作業面積及び苗マット使用数に基づいて実績縦取量を算出して、ステップＳ１７０に移行させる。
【０１１１】
ステップＳ１７０において、苗取量算出部７０は、残作業面積及び残苗マット数に基づいて目標縦取量を算出して、ステップＳ１８０に移行させる。
【０１１２】
ステップＳ１８０において、苗取量算出部７０は、実績縦取量及び目標縦取量に基づいて基準縦取量を補正し、補正後の基準縦取量となるようにアクチュエータ５６ａを駆動制御して、ステップＳ１９０に移行させる。
【０１１３】
ステップＳ１９０において、苗取量算出部７０は、実作業面積が圃場面積であるか否かを判定する。実作業面積が圃場面積である場合、終了となる。実作業面積が圃場面積でない場合、ステップＳ１３０に移行させる。
【０１１４】
図１９を用いて、情報端末９１による植付作業の把握及び計画について説明する。
田植機１の通信部は、インターネット等の広域通信網を介して各種のデータを送受信するもので、広域通信網を介して接続される外部の情報端末９１との間においてデータ通信を行うことができるように構成されている。
【０１１５】
図１９（ａ）に示すように、情報端末９１は、ある圃場での植付作業中において検出される、経過時間、株数、横送り回数、後輪の沈下量、スリップ率、一株当たりの茎数、所定面積当たりの茎数、残作業面積、残苗マット数等のデータを受信して表示する。各種のデータは、植付作業中においてリアルタイムに表示してもよいし、植付作業終了時点において表示させてもよい。
【０１１６】
以上のように、情報端末９１に各種の詳細なデータを受信可能とすることで、複数の圃場を管理している管理者等が情報端末９１を用いて、各圃場毎の作業状況等を把握することができる。
【０１１７】
図１９（ｂ）に示すように、所定面積当たりの茎数及び収量の関係や、株数及び収量の関係、を表示させてもよい。この場合、収量の内訳を整粒とくず米との比率を示すことで、次期の計画に役立てることができる。
【０１１８】
また、予め圃場の所定面積当たりの収量を見越して、所定面積当たりの株数及び苗マット数を設定する際に、各種の情報を情報端末９１に入力して、必要マット数及び株数等のシミュレーションを行うことができる。そのため、管理者は、苗の移植段階、もしくは、苗マットの育成段階から計画を立てることができ、必要マット数及び株数等を適切に設定することができる。
【符号の説明】
【０１１９】
１：田植機、２：走行機体、３：植付作業機、８：後輪、２０：昇降リンク機構、３２：植付爪、３３：苗載台、５６：苗台レール支持軸、５６ａ：アクチュエータ、６０：連動ワイヤ、６３：条止めスイッチ、６６：セレクトダイヤル、７０：苗取量算出部、７１：植付作業機位置検出センサ、８１：下流側回転体、８４：近接センサ、８５：上流側回転体、８８ａ・８８ｂ：苗押さえ棒
【図１】
2018166491.tif 000003
【図２】
2018166491.tif 000004
【図３】
2018166491.tif 000005
【図４】
2018166491.tif 000006
【図５】
2018166491.tif 000007
【図６】
2018166491.tif 000008
【図７】
2018166491.tif 000009
【図８】
2018166491.tif 000010
【図９】
2018166491.tif 000011
【図１０】
2018166491.tif 000012
【図１１】
2018166491.tif 000013
【図１２】
2018166491.tif 000014
【図１３】
2018166491.tif 000015
【図１４】
2018166491.tif 000016
【図１５】
2018166491.tif 000017
【図１６】
2018166491.tif 000018
【図１７】
2018166491.tif 000019
【図１８】
2018166491.tif 000020
【図１９】
2018166491.tif 000021